【手続補正書】
【提出日】平成19年6月22日(2007.6.22)
【手続補正１】
【補正対象書類名】特許請求の範囲
【補正対象項目名】全文
【補正方法】変更
【補正の内容】
【特許請求の範囲】
【請求項１】
異なるリンクを使用して接続された複数の端末を備える送信媒体でパケットをスイッチングする方法であって、フレームのスイッチングがＩＳＯ（国際標準化機構）のＯＳＩ（オープンシステムインターコネクション（Ｏｐｅｎ  Ｓｙｓｔｅｍ  Ｉｎｔｅｒｃｏｎｎｅｃｔｉｏｎ））参照モデルの第２層で実行され、各端末がパケットスイッチングを実行し、各スイッチングが１以上の送信媒体の間で実行され；
送信媒体の各々で、上記送信媒体の中に存在する、スイッチング能力を持つ端末を直接接続する異なるリンクが確立され；
任意の２台の端末の間で、同じ送信媒体の中の異なる特性をもつ種々のリンクが選択的に確立され；
同じ送信媒体に属しているかに関係なく、上記のリンクが、単方向ポイント−ポイントリンクおよびポイントマルチポイントリンクの間から選択され；
双方向ポイント−ポイントリンクが、同じ端末を結合するけれども、反対方向である２つの単方向ポイント−ポイントリンクからなる１組のリンクであることを確立し；
１組の端末の間の双方向マルチポイント−マルチポイントリンクは、上記組に属する端末と同じ数のポイント−マルチポイントリンクの結合であり、各ポイント−マルチポイントリンクは、その送信元として、上記組の上記端末の各々を持ち、そのあて先として、上記組のその他の上記端末を持つことを確立し；
上記単方向リンクが、同じ送信媒体に属しているか否かに関係なく、互いに依存しないが送信媒体に依存するチャネルコーディング、セキュリティおよびサービス品質の異なる特性を選択的にもち、；
フレームスイッチング処理では、各スイッチに仮想ポートを設け、それらの仮想ポートは、選択的に送信する上記リンクと１対１に直接結合され、かつ、ＩＥＥＥ８０２．１Ｇ標準で確立されている複数の双方向リンクと、複数の単方向出力リンクとの間から選択される
ことを特徴とする方法。
【請求項２】
請求項１に記載の異なるリンクを使用して接続された複数の端末を備える送信媒体でパケットをスイッチングする方法であって、ＩＥＥＥ８０２．１Ｄ標準にしたがって実行され、
アクセス可能な端末の各々と接続するのに必要な最少の双方向リンクからなる第１のリンクとして、複数のリンクを選択し、
上記フレームが入力された、常に第１のリンクであるリンクに結合されたポートと、常に上記等価な第１のリンクが第１のリンクでないという条件で、等価な第１のリンクに結合されたポートとの間で選択されたポート、すなわち、フレームが来た上記端末と通信する上記第１のリンクに結合された上記ポートを、各フレームのスイッチングの上記入力ポートとしてとり、
フレームが来た端末と通信する第１のリンクが少なくとも２つ存在すると、もし存在すれば、結合されたポートが転送状態にある上記第１のリンクと、結合されたポートが転送状態である第１のリンクが存在しなければ、任意のリンクとの間から選択されるようにできる
ことを特徴とする方法。
【請求項３】
請求項２に記載の異なるリンクを使用して接続された複数の端末を備える送信媒体でパケットをスイッチングする方法であって、
上記第１のリンクに結合された上記ポートが、ローカルネットワークへの接続ポートとして考えられ、ＩＥＥＥ８０２．１Ｄ標準で確立されたスパニングツリープロトコルがその全体でこれらのポートに関して利用され、上記複数のリンクの残りは、上記スパニングツリープロトコルのパケットの送信から排除されることを特徴とする方法。
【請求項４】
請求項２または請求項３に記載の異なるリンクを使用して接続された複数の端末を備える送信媒体でパケットをスイッチングする方法であって、ポートの状態がブロック、監視、学習、転送および無効の間で選択され；
第１のリンクでない任意のタイプのリンクと結合したポートの状態が、上記リンクに等価な第１のリンクのポート、すなわち、上記第１のリンクでないリンクでなくて、同じ端末と通信する上記第１のリンクのポートの全ての状態のうちで、パケットの送受信に関し、最も制限的な状態と等しくして、上記第１のリンクでないリンクに等価な第１のリンクが上記ツリーの一部を形成するときにのみ第１のリンクでないリンクが上記ツリーの一部を形成する
ことを特徴とする方法。
【請求項５】
請求項４に記載の異なるリンクを使用して接続された複数の端末を備える送信媒体でパケットをスイッチングする方法であって、
ポイントツーマルチポイントリンクに結合されたポートの状態が、常に転送状態であって、これらの同じリンクに結合されたポートの状態が、上記ポイント−マルチポイントリンクと等価な上記第１のポイントツーポイントリンク経由で定期的に通信され、この情報はあて先端末により処理され；
発信元端末内の上記リンクに連結された上記ポートがブロック状態であると上記あて先端末選択的に知らされると、上記あて先端末は、上記端末がスイッチとして動作するなら監視状態で上記情報を受信したポートをそのままにする動作と、上記端末がスイッチとして動作しないなら上記リンクが通信する上記端末から来る上記フレームを排除する動作の間から選択される動作を選択的に実行し；
これにより、これらのパケットが、あて先端末において、受信端末がスイッチとして動作するなら、等価な第１のリンクと結合するポートから来るとして処理されるので、ポイント−マルチポイントポートにより送信されるパケットの、これらの端末内での処理を避ける
ことを特徴とする方法。
【請求項６】
請求項１に記載の異なるリンクを使用して接続された複数の端末を備える送信媒体でパケットをスイッチングする方法であって、
各フレームが識別子のリストを組み込み、各識別子が、上記フレームが通過したスイッチと一対一で結合し、このリストがブロードキャスト制御情報として知られる
ことを特徴とする方法。
【請求項７】
請求項６に記載の異なるリンクを使用して接続された複数の端末を備える送信媒体でパケットをスイッチングする方法であって、
受信したフレームの上記ブロードキャスト制御情報の中にスイッチの識別子が見つかると、上記スイッチは上記フレームを破棄し、これにより、ネットワーク経由でループで拡散されているため上記ネットワーク内に永久にとどまるパケットを廃棄する
ことを特徴とする方法。
【請求項８】
請求項６に記載の異なるリンクを使用して接続された複数の端末を備える送信媒体でパケットをスイッチングする方法であって、
上記スイッチが、上記フレームの上記ブロードキャスト制御情報の中に、上記スイッチ自体の識別子を見つけられない場合には、上記フレームの上記ブロードキャスト制御情報に上記スイッチ自体の識別子を加える
ことを特徴とする方法。
【請求項９】
請求項１に記載の異なるリンクを使用して接続された複数の端末を備える送信媒体でパケットをスイッチングする方法であって、フィルタリングテーブルの相談（ｃｏｎｓｕｌｔａｔｉｏｎ）プロセスが実行され、
入力ポートの仕様である２つの新しい仕様が、ＩＥＥＥ８０２．１Ｄ標準の静的フィルタリングテーブルエントリの各々の中に組み入れられ、フレームが入力されたポートを参照し、またＩＥＥＥ８０２．１Ｑ標準にしたがった、ＶＬＡＮ  ＩＤ（仮想ローカルエリアネットワーク識別）の仕様であって、上記フレームが属するＶＬＡＮの識別子を参照し；
ＩＥＥＥ８０２．１Ｄ標準のＭＡＣ（媒体アクセス制御）アドレスで確立された上記仕様に加えて、もし上記フレームが入力ポートおよびＶＬＡＮに関する上記の仕様にも従うならば、上記フィルタリングテーブルの上記エントリのポートマップにより示された処理が適用される、
ことを特徴とする方法。
【請求項１０】
請求項９に記載の異なるリンクを使用して接続された複数の端末を備える送信媒体でパケットをスイッチングする方法であって、
上記フィルタリングテーブルの静的エントリの上記仕様のいずれにおいても、ＭＡＣアドレス、入力ポート、およびＶＬＡＮ  ＩＤの仕様の間で選択された仕様に関して、上記標準に存在しない第１の新しい値が使用され；これにより、フレームの中の上記特性の値が、上記第１の新しい値を持つ仕様の値と比較されるとき、上記比較は常に満たされ、結果として、上記仕様が満たされ、ＩＥＥＥ８０２．１Ｄ標準が上記エントリに関して確立した処理が適用される
ことを特徴とする方法。
【請求項１１】
請求項９に記載の異なるリンクを使用して接続された複数の端末を備える送信媒体でパケットをスイッチングする方法であって、
上記フィルタリングテーブルの静的エントリの上記仕様のいずれにおいても、上記標準に存在しない第２の新しい値が使用され、上記フレームの特性が、上記第２の新しい値を持つ仕様の特性と比較されると、この比較が満たされ、すなわち、上記フレーム内の上記値が、上記テーブルの任意の他の仕様の値と一致しないと、実際の第２の新しい値を含む上記仕様を除いて、上記仕様が満たされ、ＩＥＥＥ８０２．１Ｄ標準で確立された処理が、エントリに関するフィルタリングテーブルで見つかる場所に関して適用される
ことを特徴とする方法。
【請求項１２】
請求項４、請求項５、または請求項１１に記載の異なるリンクを使用して接続された複数の端末を備える送信媒体でパケットをスイッチングする方法であって、
１より多いポートを経由した送信を確立するテーブルの中の入力が与えられると、上記入力のあて先ポートが、第１のリンクに結合されたポートおよび上記第１のリンクに等価なポイント−マルチポイントリンクに結合されたポートの間から選択される
ことを特徴とする方法。